(57)【要約】  【課題】  アニメーションの登場人物をより自然に表示すること。  【解決手段】  複数のフレームが順番に表示される加工前アニメーションを記憶装置に記録するアニメーションデータベース２１と、複数画像種類に対応する複数画像を収集するアニメーション材料収集部２３と、置換画像種類に対応する画像ブランクをフレームが含んでいるときに、複数画像のうちの置換画像種類に対応する画像に画像ブランクを置換して加工後アニメーションを作成するアニメーション作成部２５とを備えていることが好ましい。  【選択図】  図２
2007011530.tif 000002
【特許請求の範囲】
【請求項１】
複数のフレームが順番に表示される加工前アニメーションを記憶装置に記録するアニメーションデータベースと、
複数画像種類に対応する複数画像を収集するアニメーション材料収集部と、
置換画像種類に対応する画像ブランクを前記フレームが含むときに、前記複数画像のうちの前記置換画像種類に対応する画像に前記画像ブランクを置換して加工後アニメーションを作成するアニメーション作成部
とを具備するアニメーション作成装置。
【請求項２】
請求項１において、
前記画像ブランクは、変更情報に更に対応し、
前記アニメーション作成部は、前記変更情報に基づいて前記画像から変更された変更画像に前記画像ブランクを置換する
アニメーション作成装置。
【請求項３】
請求項２において、
前記変更情報は、大きさを示し、
前記アニメーション作成部は、前記大きさに基づいて前記画像を拡大して前記変更画像を生成する
アニメーション作成装置。
【請求項４】
請求項２において、
前記変更情報は、角度を示し、
前記アニメーション作成部は、前記角度に基づいて前記画像を回転して前記変更画像を生成する
アニメーション作成装置。
【請求項５】
請求項１〜請求項４のいずれかにおいて、
前記アニメーション材料収集部は、単語を更に収集し、
前記アニメーション作成部は、前記加工前アニメーションで発音される台詞音声のうちの音声ブランクを前記単語に対応する音声に置換して前記加工後アニメーションを作成する
アニメーション作成装置。
【請求項６】
請求項５において、
複数フレーズに対応する複数音声を収集するナレーション収集部を更に具備し、
前記複数音声は、それぞれ、前記単語と前記単語に隣接して発音される語とを示し、
前記音声ブランクは、置換フレーズを示し、
前記アニメーション作成部は、前記音声ブランクを前記複数音声のうちの前記置換フレーズに対応する音声に置換して前記加工後アニメーションを作成する
アニメーション作成装置。
【請求項７】
請求項１〜請求項６のいずれかにおいて、
前記加工後アニメーションを記録媒体に書き込む記録媒体作成部
を更に具備するアニメーション作成装置。
【請求項８】
請求項１〜請求項６のいずれかにおいて、
通信回線網を介して前記加工後アニメーションを端末に配信するアニメーション配信部
を更に具備するアニメーション作成装置。
【請求項９】
複数画像種類に対応する複数画像を収集するステップと、
複数のフレームが順番に表示される加工前アニメーションに基づいて、置換画像種類に対応する画像ブランクを前記フレームが含むときに、前記複数画像のうちの前記置換画像種類に対応する画像に前記画像ブランクを置換して加工後アニメーションを作成するステップと、
前記加工後アニメーションを記録媒体に書き込むステップ
とを具備するアニメーション記録媒体製造方法。
【請求項１０】
請求項９において、
前記画像ブランクは、変更情報に更に対応し、
前記画像ブランクは、前記変更情報に基づいて前記画像から変更された変更画像に置換される
アニメーション記録媒体製造方法。
【請求項１１】
請求項１０において、
前記変更情報は、大きさを示し、
前記変更画像は、前記大きさに基づいて前記画像が拡大されて生成される
アニメーション記録媒体製造方法。
【請求項１２】
請求項１０において、
前記変更情報は、角度を示し、
前記変更画像は、前記角度に基づいて前記画像が回転されて生成される
アニメーション記録媒体製造方法。
【請求項１３】
請求項９〜請求項１２のいずれかにおいて、
単語を収集するステップと、
前記加工前アニメーションで発音される台詞音声のうちの音声ブランクを前記単語に対応する音声に置換して前記加工後アニメーションを作成するステップ
とを更に具備するアニメーション記録媒体製造方法。
【請求項１４】
請求項１３において、
複数フレーズに対応する複数音声を収集するステップを更に具備し、
前記複数音声は、それぞれ、前記単語と前記単語に隣接して発音される語とを示し、
前記音声ブランクは、置換フレーズを示し、
前記加工後アニメーションは、前記音声ブランクを前記複数音声のうちの前記置換フレーズに対応する音声に置換されて作成される
アニメーション記録媒体製造方法。
【発明の詳細な説明】
【技術分野】
【０００１】
本発明は、アニメーション作成装置およびアニメーション記録媒体製造方法に関し、特に、アニメーションを作成するときに利用されるアニメーション作成装置およびアニメーション記録媒体製造方法に関する。
【背景技術】
【０００２】
任意の人物を登場人物とする物語を表現する媒体を提供するサービスが知られている。その媒体としては、絵本が知られている。任意の人物を登場人物とする物語のアニメーションを提供するサービスが望まれている。そのアニメーションは、その任意の人物がより自然に表示されることが望まれている。そのアニメーションは、そのナレーションがより自然に発音されることが望まれている。そのアニメーションは、さらに、より簡単に作成されることが望まれている。
【０００３】
特開平０６−１３５１７９号公報には、読者を物語の主人公として登場させることができ、読書に対する興味を深め、向学意欲も高めることができる絵本が開示されている。その絵本は、表紙と裏表紙とその間に物語の内容を示すさし絵と文書とが印刷されている複数の紙面を有する絵本であって、前半部の所定の紙面のさし絵の中に登場人物の顔等を描写する登場人物用スペースが設けられ、後半部の所定の紙面のさし絵の中に読者の顔等の写真を貼る読者用スペースが登場人物用スペースと対応する位置に設けられ、中間部の紙面に登場人物用スペース及び読者用スペースを露出させる透視孔が設けられて成ることを特徴としている。
【０００４】
特開平１１−１２８５５３号公報には、簡単な方法でオリジナルの絵本を製作する製作方法が開示されている。そのオリジナル絵本は、絵本の物語の中の特定の登場人物がブランクの絵本の各ページをあらかじめ準備しておき、デジタルカメラにより撮影した人物画像をコンピュータにより処理して、ブランクの登場人物の部分にレイアウトしてプリントすることにより、絵本を完成させるようにして絵本の物語に登場する人物と名前を自由に設定出来るようにして、世界に一冊しか存在しない、一冊づつ違う絵本を安い費用で容易にプリント出来るようにしたものである。又、オリジナル絵本の製作方法においては、プリントされた絵本の原紙を独自の方法によりハードカバーを付けて製本出来るようにして短時間で容易にオリジナル絵本の製作が出来るようにしたものである。
【０００５】
実用新案登録第３０６２０５号公報には、文字が理解できなくても、物語の中であたかも自分がいるように感じることができる世界で一冊だけのオリジナル絵本が開示されている。そのオリジナル絵本は、所定の物語に登場する１又は２以上の登場主体の画像が絵本の表示面に表示されるとともに、その登場主体のうちの所定の登場主体の画像の少なくとも顔の部分に、個々の発注者により予め指定された子供その他の個人の少なくとも顔の写真又は絵が、当該物語の本来の登場主体の画像に置換して組み込まれた内容とされ、その個人があたかも当該物語の主人公等の特定の登場主体であるように構成された個別注文を主とする。
【０００６】
特開２００２−２３２８３２号公報には、テーマパーク等の特有の動画像と顧客が撮影した写真やビデオ等の画像とを合成し、その顧客のオリジナルの動画像を提供するサービスが開示されている。そのオリジナル動画像提供方法は、顧客が撮影した画像の画像データを入力する画像入力工程と、上記顧客の識別情報を、該顧客に表示する識別情報表示工程と、上記画像入力工程で入力された画像データを、所定の動画像記録媒体に記録された動画像データに、所定の合成条件に従って合成する画像合成工程と、上記画像合成工程で合成された合成動画像データを合成動画像記録媒体に記録する合成動画像記録工程とを有することを特徴としている。
【０００７】
特開２００４−１７３０３９号公報には、人気漫画の主人公やタレントなどのキャラクター情報を含む、ストーリー性あるアニメーションや静止画像などの素材情報と、ユーザーの撮像データを一体化させることで、オリジナルな絵本を作成できるようにし、ユーザーとりわけ幼児に夢のある絵本が開示されている。その絵本作成手段付き画像プリント供給装置は、少なくとも、ユーザーの撮像データを撮影するための撮影手段と、備え付けのシールに前記撮像データを印刷するための印刷手段とを備えた画像プリント供給装置において、絵本を作成するための手段として、ストーリー性を有するアニメーション映像又は連続する静止画像からなる複数の絵本の素材情報と、該素材情報を記憶する記憶部と、メニュー表示された前記複数の素材情報の中から所望の素材情報を選択するための選択手段と、画像を印刷したシールを貼付するための絵本の台紙とを有しており、選択された素材情報に係るアニメーション映像又は連続する静止画像の、少なくとも１場面の背景画像と前記ユーザーの撮像データとを合成し、それにより得られた合成画像を印刷した前記シールを前記台紙上に貼付することで、ユーザーが物語に登場するオリジナル絵本を作成できることを特徴としている。
【０００８】
特開２００４−３４５１４３号公報には、オリジナリティにあふれたパーソナル絵本を、セミオーダー式で安価に手軽に提供する方法が開示されている。その方法は、写真データをパソコンで取りこみ絵本の登場人物と入れ替え、あらかじめ用意されたイラストを選択していってオリジナル絵本を作成することを特徴としている。
【０００９】
【特許文献１】特開平０６−１３５１７９号公報
【特許文献２】特開平１１−１２８５５３号公報
【特許文献３】実用新案登録第３０６２０５１号公報
【特許文献４】特開２００２−２３２８３２号公報
【特許文献５】特開２００４−１７３０３９号公報
【特許文献６】特開２００４−３４５１４３号公報
【発明の開示】
【発明が解決しようとする課題】
【００１０】
本発明の課題は、アニメーションの登場人物がより自然に表示されるアニメーション作成装置およびアニメーション記録媒体製造方法を提供することにある。
本発明の他の課題は、アニメーションのナレーションがより自然に発音されるアニメーション作成装置およびアニメーション記録媒体製造方法を提供することにある。
本発明のさらに他の課題は、アニメーションの作成をより簡単にするアニメーション記録媒体製造方法を提供することにある。
【課題を解決するための手段】
【００１１】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１２】
本発明によるアニメーション作成装置（１）は、複数のフレームが順番に表示される加工前アニメーションを記憶装置に記録するアニメーションデータベース（２１）と、複数画像種類に対応する複数画像を収集するアニメーション材料収集部（２３）と、置換画像種類に対応する画像ブランクをフレームが含んでいるときに、複数画像のうちの置換画像種類に対応する画像に画像ブランクを置換して加工後アニメーションを作成するアニメーション作成部（２５）とを備えていることが好ましい。
【００１３】
画像ブランクは、変更情報にさらに対応する。アニメーション作成部（２５）は、変更情報に基づいて画像から変更された変更画像に画像ブランクを置換することが好ましい。
【００１４】
変更情報は、大きさを示している。アニメーション作成部（２５）は、その大きさに基づいて画像を拡大して変更画像を生成することが好ましい。変更情報は、角度を示している。アニメーション作成部（２５）は、その角度に基づいて画像を回転して変更画像を生成することが好ましい。
【００１５】
アニメーション材料収集部（２３）は、単語をさらに収集する。このとき、アニメーション作成部（２５）は、加工前アニメーションで発音される台詞音声のうちの音声ブランクを単語に対応する音声に置換して加工後アニメーションを作成することが好ましい。
【００１６】
本発明によるアニメーション作成装置（１）は、複数フレーズに対応する複数音声を収集するナレーション収集部（２４）をさらに備えている。このとき、複数音声は、それぞれ、単語と単語に隣接して発音される語とを示していることが好ましい。音声ブランクは、置換フレーズを示している。アニメーション作成部（２５）は、音声ブランクを複数音声のうちの置換フレーズに対応する音声に置換して加工後アニメーションを作成する。
【００１７】
本発明によるアニメーション作成装置（１）は、加工後アニメーションを記録媒体に書き込む記録媒体作成部をさらに備えていることが好ましい。本発明によるアニメーション作成装置（１）は、通信回線網を介して加工後アニメーションを端末に配信するアニメーション配信部をさらに備えていることが好ましい。
【００１８】
本発明によるアニメーション記録媒体製造方法は、複数画像種類に対応する複数画像を収集するステップ（Ｓ１３）と、複数のフレームが順番に表示される加工前アニメーションを記憶装置に記録するアニメーションデータベース（２１）を参照して、置換画像種類に対応する画像ブランクをフレームが含んでいるときに、複数画像のうちの置換画像種類に対応する画像に画像ブランクを置換して加工後アニメーションを作成するステップ（Ｓ１７）と、加工後アニメーションを記録媒体に書き込むステップ（Ｓ１９）とを備えていることが好ましい。
【００１９】
画像ブランクは、変更情報にさらに対応している。画像ブランクは、変更情報に基づいて画像から変更された変更画像に置換されることが好ましい。変更情報は、大きさを示している。変更画像は、大きさに基づいて画像が拡大されて生成されることが好ましい。変更情報は、角度を示している。変更画像は、角度に基づいて画像が回転されて生成される。
【００２０】
本発明によるアニメーション記録媒体製造方法は、単語を収集するステップ（Ｓ１３）と、加工前アニメーションで発音される台詞音声のうちの音声ブランクを単語に対応する音声に置換して加工後アニメーションを作成するステップ（Ｓ１７）とをさらに備えていることが好ましい。
【００２１】
本発明によるアニメーション記録媒体製造方法は、複数フレーズに対応する複数音声を収集するステップ（Ｓ１６）をさらに備えている。このとき、複数音声は、それぞれ、単語と単語に隣接して発音される語とを示していることが好ましい。音声ブランクは、置換フレーズを示している。加工後アニメーションは、音声ブランクを複数音声のうちの置換フレーズに対応する音声に置換されて作成される。
【発明の効果】
【００２２】
本発明によるアニメーション作成装置によれば、アニメーションの登場人物をより自然に表示することができる。本発明によるアニメーション記録媒体製造方法は、そのアニメーションをより容易に作成することができる。
【発明を実施するための最良の形態】
【００２３】
図面を参照して、本発明によるアニメーション作成装置の実施の形態を記載する。そのアニメーション作成装置１は、図１に示されているように、アニメーション作成システム２に適用されている。アニメーション作成システム２は、インターネット３を介して複数の情報処理装置（コンピュータ）が互いに双方向に情報を伝送することができるように接続されている。その複数の情報処理装置は、アニメーション作成装置１とアニメータ端末５とナレータ端末６と顧客端末７とから形成されている。
【００２４】
アニメーション作成装置１は、ワークステーションに例示されるコンピュータであり、アニメーション作成業者１０により使用される。すなわち、アニメーション作成装置１は、図示されていないＣＰＵと記憶装置と入力装置と出力装置とを備えている。そのＣＰＵは、アニメーション作成装置１にインストールされるコンピュータプログラムを実行して、その記憶装置と入力装置と出力装置とを制御する。その記憶装置は、ＲＯＭまたはＲＡＭであり、そのコンピュータプログラムを記録し、そのＣＰＵにより生成される情報を一時的に記録する。その入力装置は、ユーザの操作により生成される情報をそのＣＰＵに出力する。その入力装置としては、キーボード、インターネット３を介して他のコンピュータから情報を受信する通信装置、記録媒体から情報を読み出すドライブが例示される。その出力装置は、そのＣＰＵにより生成される情報をユーザに認識可能に出力する。その出力装置としては、ディスプレイ、インターネット３を介して他のコンピュータに情報を送信する通信装置、記録媒体に情報を書き込むドライブが例示される。アニメーション作成業者１０は、実在する人物を登場させるストーリのアニメーションを作成する業者である。
【００２５】
アニメータ端末５は、パーソナルコンピュータに例示されるコンピュータであり、アニメーション作家１１により使用される。アニメーション作家１１は、アニメーション作成業者１０により依頼されるストーリーのアニメーションを作成する業者である。アニメーション作家１１は、アニメータ端末５を用いて、アニメーション作成業者１０から依頼されるアニメーションを作成し、インターネット３を介してそのアニメーションをアニメーション作成装置１に送信する。
【００２６】
ナレータ端末６は、パーソナルコンピュータに例示されるコンピュータであり、ナレータ１２により使用される。ナレータ１２は、アニメーション作成業者１０により依頼されるナレーションを生成する業者である。ナレータ１２は、ナレータ端末６を用いて、インターネット３を介してアニメーション作成業者１０から依頼されるナレーションをアニメーション作成装置１に送信する。
【００２７】
顧客端末７は、パーソナルコンピュータに例示されるコンピュータであり、顧客１４により使用される。顧客１４は、実在する人物が登場するアニメーションの作成をアニメーション作成業者１０に依頼する消費者である。顧客１４は、顧客端末７を用いて、インターネット３を介して必要な情報をアニメーション作成装置１に送信してアニメーションの作成をアニメーション作成業者１０に依頼し、そのアニメーションをアニメーション作成業者１０から受信する。
【００２８】
図２は、アニメーション作成装置１を示している。アニメーション作成装置１は、コンピュータプログラムであるアニメーションデータベース２１とアニメーション収集部２２とアニメーション材料収集部２３とナレーション収集部２４とアニメーション作成部２５と記録媒体作成部２６とアニメーション配信部２７とがインストールされている。
【００２９】
アニメーションデータベース２１は、アニメーション作家１１により作成された複数のアニメーションを記憶装置に記録する。アニメーション収集部２２は、インターネット３を介して、アニメーション作家１１により作成されたアニメーションをアニメータ端末５から収集する。
【００３０】
アニメーション材料収集部２３は、インターネット３を介して、そのアニメーションの作成に必要である画像と単語とを顧客端末７に送信して顧客１４に通知し、そのアニメーションの作成に必要である画像と単語とを顧客端末７から収集する。その画像は、実在する人物の顔の画像である。その単語は、その人物の名前である。アニメーション材料収集部２３は、さらに、その画像がその人物の顔の画像以外の背景を含んでいるときに、その画像からその人物の顔の画像を切り出してその背景を取り除く。
【００３１】
ナレーション収集部２４は、インターネット３を介して、そのアニメーションで発音されるナレーションの台本をナレータ端末６に送信してナレータ１２に通知し、そのナレーションの音声をナレータ端末６から収集する。そのナレーションは、音声ブランクを備えている。ナレーション収集部２４は、さらに、インターネット３を介して、そのナレーションの音声ブランクに置換されるフレーズをナレータ端末６に送信してナレータ１２に通知し、そのフレーズの音声をナレータ端末６から収集する。
【００３２】
アニメーション作成部２５は、アニメーション収集部２２により収集されたアニメーションにアニメーション材料収集部２３により収集された画像とナレーション収集部２４により収集されたナレーションとを結合させてアニメーションを作成する。
【００３３】
記録媒体作成部２６は、アニメーション作成部２５により作成されたアニメーションを記録媒体に記録する。その記録媒体としては、ＣＤ、ＤＶＤ、ビデオテープが例示される。アニメーション配信部２７は、インターネット３を介して、アニメーション作成部２５により作成されたアニメーションを顧客端末７に配信する。
【００３４】
図３は、アニメーションデータベース２１により記憶装置に記録されるアニメーションテーブルを示している。そのアニメーションテーブル３１は、アニメーションＩＤ３２を加工前アニメーション３３と台本３４と加工前台詞３５と画像種類３６と単語３７とフレーズ３８とに対応付けている。アニメーションＩＤ３２は、アニメーション作家１１により作成された複数のアニメーションを識別し、そのアニメーションのタイトルを示している。
【００３５】
加工前アニメーション３３は、アニメーションＩＤ３２により識別されるアニメーションを示し、そのアニメーションが表示されるときに順番に表示される複数のフレームを示している。その複数のフレームは、画像ブランクを含むフレームと画像ブランクを含まないフレームとフレームとを含んでいる。そのアニメーションは、その画像ブランクが他の画像に置換されて完成される。
【００３６】
台本３４は、アニメーションＩＤ３２により識別されるアニメーションで発音される台詞を示し、画像ブランクを備える複数の文章から形成される台詞を示す文字列により表現されている。その台詞は、複数の音声ブランクを備えている。その音声ブランクは、単語とその単語に隣接して発音される他の単語とから形成されるフレーズを示している。その単語は、たとえば、固有名詞であり、そのアニメーションの登場人物となる実在する人物の名前を示している。加工前台詞３５は、アニメーションＩＤ３２により識別されるアニメーションで発音される音声を示し、台本３４により示される台詞のうちの音声ブランクを除く台詞の音声を示している。そのアニメーションで発音される音声は、その音声ブランクが他の音声に置換されて完成される。
【００３７】
画像種類３６は、アニメーションＩＤ３２により識別されるアニメーションが形成されるフレームのブランクに置換される画像の種類を示している。すなわち、画像種類３６は、そのアニメーションの登場人物とその登場人物の顔の表情とその登場人物の顔の向きとを示している。単語３７は、台本３４に示される音声ブランクが示す単語の種類を示している。その単語は、たとえば、そのアニメーションに登場する登場人物の名前を示す。フレーズ３８は、台本３４により示される台詞に含まれる音声ブランクの台詞を示し、単語３７により示される単語に隣接して発音される他の単語から形成されるフレーズを文字列により示している。
【００３８】
このとき、アニメーションデータベース２１は、アニメーション収集部２２により収集されたアニメーションのタイトルをアニメーションＩＤ３２として記録し、そのアニメーションを加工前アニメーション３３として記録し、そのアニメーションの台本を台本３４として記録し、そのアニメーションに登場する登場人物の画像の種類を画像種類３６として記録し、そのアニメーションで発音される単語を単語３７として記録する。
【００３９】
図４は、アニメーション収集部２２により収集されるアニメーションの画像ブランクに対応付けられる情報を示している。その情報４１は、画像種類４２と位置４３と変更情報４４とを示している。変更情報４４は、大きさ４５と角度４６とを示している。画像種類４２は、その画像ブランクに置換される画像の種類を示している。位置４３は、そのフレームのうちのその画像ブランクが配置される位置を示している。大きさ４５は、画像種類４２により示される種類の画像を拡大した画像がその画像ブランクに置換されるときに、その拡大率を示している。角度４６は、画像種類４２により示される種類の画像を回転した画像がその画像ブランクに置換されるときに、その角度を示している。
【００４０】
図５は、アニメーション材料収集部２３により収集される画像情報を示している。その画像情報５１は、画像種類５２を画像５３に対応付けている。画像種類５２は、登場人物５４と表情５５と向き５６とを示している。登場人物５４は、そのアニメーションに登場する登場人物を識別している。表情５５は、登場人物５４により識別される登場人物の顔の表情を示し、たとえば、笑顔、怒っている顔、涙に濡れている顔を示している。向き５６は、登場人物５４により識別される登場人物の顔の向きを示し、たとえば、正面、横顔を示している。画像５３は、登場人物５４により識別される登場人物としてアニメーションに登場させたい人物の画像を示している。その画像は、表情５５により示される表情で向き５６により示される向きに向いている顔を示している。
【００４１】
このとき、アニメーション作成部２５は、アニメーションが備える画像ブランク毎に、その画像ブランクに対応付けられる情報４１を参照して、画像５３のうちから情報４１の画像種類４２に一致する画像を抽出する。アニメーション作成部２５は、さらに、その画像ブランクに対応付けられる情報４１を参照して、大きさ４５に基づいてその抽出された画像を拡大し、情報４１の角度４６に基づいてその拡大された画像を回転して置換画像を作成する。アニメーション作成部２５は、さらに、その画像ブランクに対応付けられる情報４１を参照して、その画像ブランクを備えるフレームのうちの位置４３により示される位置にその置換画像をに描き込むことにより個別のアニメーションを作成する。
【００４２】
図６は、ナレーション収集部２４により収集される音声情報を示している。その音声情報６１は、フレーズ６２を音声６３に対応付けている。フレーズ６２は、アニメーションに登場させたい実在する人物の名前とその名前に隣接して発音される他の単語とから形成されるフレーズを示している。たとえば、そのフレーズとしては、名前が「桃太郎」であるときに、「桃太郎は」「桃太郎の」「桃太郎を」「桃太郎と一緒に」が例示される。音声６３は、フレーズ６２により示されるフレーズを発音した音声を示している。
【００４３】
このとき、アニメーション作成部２５は、ナレーションが備える音声ブランク毎に、その音声ブランクに対応付けられるフレーズを参照して、音声情報６１の音声６３のうちからそのフレーズに対応する音声を抽出する。アニメーション作成部２５は、さらに、その音声ブランクをその抽出された音声に置換する。
【００４４】
アニメーション作成システム２により実行される動作は、加工前アニメーションを作成する動作と個別のアニメーションを作成する動作とを備えている。
【００４５】
図７は、加工前アニメーションを作成する動作を示している。アニメーション作成業者１０は、新たなストーリーを示すアニメーションの販売が企画されたときに、まず、そのストーリーをアニメーション作成装置１に入力する。このとき、アニメーション作成装置１は、インターネット３を介してそのストーリをアニメータ端末５に送信してアニメーション作家１１にそのストーリーのアニメーションの作成を依頼する（ステップＳ１）。アニメーション作家１１は、アニメータ端末５を用いて、そのストーリーを閲覧し、そのストーリーを示すアニメーションを作成する（ステップＳ２）。アニメータ端末５は、インターネット３を介して、そのアニメーションとそのアニメーションで発音される台詞の台本とをアニメーション作成装置１に送信する（ステップＳ３）。
【００４６】
そのアニメーションは、複数のフレームから形成され、その複数のフレームが順番に表示されることによりそのフレームに描かれている物体が動いて見える動画である。その複数のフレームは、画像ブランクを含むフレームと画像ブランクを含まないフレームとを含んでいる。そのアニメーションは、その画像ブランクが他の画像に置換されて完成される。アニメーション作家１１は、その画像の種類がより少なくなるように、たとえば、その画像の種類が１０種類程度になるように、アニメーションを作成する。
【００４７】
その台本は、そのアニメーションで発音されるナレーションを示している。そのナレーションは、音声ブランクを備え、その音声ブランクが他の音声に置換されて完成される。アニメーション作家１１は、そのフレーズがより少なくなるように、たとえば、そのフレーズが１０個程度になるように、アニメーションを作成する。
【００４８】
アニメーション作成装置１は、そのアニメーションとその台本とを受信すると、そのアニメーションとその台本とを記憶装置に記録し、インターネット３を介してそのアニメーションとその台本とをナレータ端末６に転送する（ステップＳ４）。ナレータ１２は、ナレータ端末６を用いて、そのアニメーションとその台本とを閲覧し、その台本に基づいて発音された台詞を録音する。ナレータ１２は、ナレータ端末６を用いて、インターネット３を介してその録音された台詞をアニメーション作成装置１に送信する（ステップＳ６）。アニメーション作成装置１は、その録音された台詞を受信すると、その台詞を記憶装置に記録してアニメーションデータベース２１を更新する（ステップＳ７）。
【００４９】
図８は、個別のアニメーションを作成する動作を示している。アニメーション作成業者１０は、インターネット３を介して実在する人物の画像を登場させる複数のアニメーションのストーリーを公開している。顧客１４は、その複数のアニメーションのうちの１つのアニメーションが欲しいときに、まず、顧客端末７を用いてインターネット３を介してその１つのアニメーションのタイトルをアニメーション作成装置１に送信して（ステップＳ１１）、そのアニメーションの作成を依頼する。アニメーション作成装置１は、アニメーションテーブル３１を参照して、そのタイトルに対応する画像種類と単語とを抽出し、インターネット３を介してその画像種類と単語とを顧客端末７に送信して（ステップＳ１２）、その画像と単語とを要求する。顧客１４は、顧客端末７を用いて、その画像種類と単語とを閲覧し、インターネット３を介してその画像種類が示す画像とその単語が示す名称とをアニメーション作成装置１に送信する（ステップＳ１３）。
【００５０】
アニメーション作成装置１は、アニメーションテーブル３１を参照して、そのタイトルに対応するフレーズを抽出し、インターネット３を介してその単語とそのフレーズとをナレータ端末６に送信して（ステップＳ１４）、そのフレーズを発音する音声を要求する。ナレータ１２は、ナレータ端末６を用いてその単語とそのフレーズとを閲覧し、その単語を含むフレーズを発音した音声を録音する（ステップＳ１５）。ナレータ１２は、ナレータ端末６を用いて、インターネット３を介してその録音された音声をアニメーション作成装置１に送信する（ステップＳ１６）。
【００５１】
アニメーション作成装置１は、そのアニメーションが備える画像ブランク毎に、その画像ブランクに対応付けられる情報を参照して、顧客端末７から収集された画像のうちからその情報が示す画像種類に対応する画像を抽出する。アニメーション作成装置１は、さらに、その画像ブランクに対応付けられる情報を参照して、その情報が示す大きさに基づいてその抽出された画像を拡大し、その情報が示す角度に基づいてその拡大された画像を回転して置換画像を作成する。アニメーション作成装置１は、さらに、その画像ブランクに対応付けられる情報を参照して、その画像ブランクを備えるフレームのうちのその情報が示す位置にその置換画像をに描き込むことにより個別のアニメーションを作成する。
【００５２】
アニメーション作成装置１は、そのナレーションが備える音声ブランク毎に、その音声ブランクに対応付けられるフレーズを参照して、ナレータ端末から収集された音声のうちからそのフレーズに対応する音声を抽出する。アニメーション作成装置１は、さらに、その音声ブランクをその抽出された音声に置換することによりアニメーションを作成する（ステップＳ１７）。
【００５３】
このように作成されたアニメーションは、登場人物の画像がより自然に表示され、ナレーションがより自然に発音される。
【００５４】
アニメーション作成装置１は、インターネット３を介してその作成されたアニメーションを顧客端末７に送信し（ステップＳ１８）、そのアニメーションを記録媒体に記録する（ステップＳ１９）。アニメーション作成業者１０は、そのアニメーションが記録された記録媒体を顧客１４に配送する。
【００５５】
なお、アニメーション作成装置１は、インターネット３を介さないで、顧客１４からそのアニメーションの作成に必要である画像と単語とを収集することもできる。このとき、顧客１４は、実在する人物の写真をアニメーション作成業者１０に配送し、その人物の名前をアニメーション作成業者１０に通知して、アニメーションの作成を依頼する。アニメーション作成業者１０は、スキャナを用いてその写真をデジタルデータに変換した後で、既述の実施の形態における動作と同様にして個別のアニメーションを作成する。このとき、顧客１４は、パーソナルコンピュータまたはデジタルカメラを所有していないときでも、アニメーション作成業者１０にアニメーションの作成を依頼することができる。
【００５６】
なお、顧客端末７から収集される画像と単語とは、それぞれ、実在する人物の画像に異なる画像とその人物の名前に異なる名称とに置換することができる。その画像としては、ある場所の画像が例示され、その単語としては、その場所の所在地が例示される。
【図面の簡単な説明】
【００５７】
【図１】図１は、アニメーション作成システムを示すブロック図である。
【図２】図２は、本発明によるアニメーション作成装置の実施の形態を示すブロック図である。
【図３】図３は、アニメーションテーブルを示す図である。
【図４】図４は、アニメーション収集部により収集されるアニメーションの画像ブランクに対応付けられる情報を示す図である。
【図５】図５は、アニメーション材料収集部により収集される画像情報を示す図である。
【図６】図６は、ナレーション収集部により収集される音声情報を示す図である。
【図７】図７は、加工前アニメーションを作成する動作を示すフローチャートである。
【図８】図８は、個別のアニメーションを作成する動作を示すフローチャートである。
【符号の説明】
【００５８】
１  ：アニメーション作成装置
２  ：アニメーション作成システム
３  ：インターネット
５  ：アニメータ端末
６  ：ナレータ端末
７  ：顧客端末
１０：アニメーション作成業者
１１：アニメーション作家
１２：ナレータ
１４：顧客
２１：アニメーションデータベース
２２：アニメーション収集部
２３：アニメーション材料収集部
２４：ナレーション収集部
２５：アニメーション作成部
２６：記録媒体作成部
２７：アニメーション配信部
３１：アニメーションテーブル
３２：アニメーションＩＤ
３３：加工前アニメーション
３４：台本
３５：加工前台詞
３６：画像種類
３７：単語
３８：フレーズ
４１：情報
４２：画像種類
４３：位置
４４：変更情報
４５：大きさ
４６：角度
５１：その画像情報
５２：画像種類
５３：画像
５４：登場人物
５５：表情
５６：向き
６１：音声情報
６２：フレーズ
６３：音声
【図１】
2007011530.tif 000003
【図２】
2007011530.tif 000004
【図３】
2007011530.tif 000005
【図４】
2007011530.tif 000006
【図５】
2007011530.tif 000007
【図６】
2007011530.tif 000008
【図７】
2007011530.tif 000009
【図８】
2007011530.tif 000010